(57)【要約】【課題】  まな板の表面の液体を簡単かつ確実に除去することができる包丁を提供する。【解決手段】  刃１２ｂと峰１２ａが設けられた刀身１２と、峰１２ａに取り付けられ柔軟性を有するワイパー部材１８とを備える。ワイパー部材１８は、峰１２ａに形成された溝部１６に取り付けられる。ワイパー部材１８の、峰１２ａから突出している側縁部は、刀身１２が取り付けられた柄１４の長手方向に対して交差する方向に直線状に設けられている。【選択図】図１
2006247127.tif 000002
【特許請求の範囲】
【請求項１】
刃と峰が設けられた刀身と、前記峰に取り付けられ柔軟性を有するワイパー部材とが設けられたことを特徴とする包丁。
【請求項２】
前記ワイパー部材は、前記峰に形成された溝部に取り付けられたことを特徴とする請求項１記載の包丁。
【請求項３】
前記ワイパー部材の、前記峰から突出している側縁部は、前記刀身が取り付けられた柄の長手方向に対して交差する方向に直線状に設けられていることを特徴とする請求項１または２記載の包丁。
【発明の詳細な説明】
【技術分野】
【０００１】
この発明は、主に調理等に使用し、まな板の上で食材を切断する包丁に関する。
【背景技術】
【０００２】
一般に、調理をする際は、水で洗った食材をまな板にのせて包丁で切断する。そのとき、切断した食材を調理器具内へ移したりした後、水洗いによる水や食材の切断部分から出た汁等で、まな板の表面に水分が残る。このため、次の食材を切る前にまな板を水洗いし、水滴を布巾でふき取る作業が必要である。しかし、この作業が面倒で効率が良くなく、また布巾がすぐに濡れて利用できない状態となる問題があった。
【０００３】
これを解決するために、例えば特許文献１にまな板水切り具が開示されている。このまな板水切り具は、一端部に把持部を有すると共に他端部にゴム水切り部とスポンジ水切り部が互いに平行に設けられている。このまな板水切り具の使用方法は、まずゴム水切り部でまな板の水を大まかに拭き取り、続いてスポンジ水切り部で残った水滴を拭き取る。これにより、布巾を使用することなくまな板の水を布巾と同程度に拭き取ることができる。
【０００４】
一方、特許文献２、３には、包丁の峰に、切断を補助するプロテクターや包丁押し具を取り付けたものが開示されている。これは、固い食材を切断するために包丁の峰を押す際に、峰を押す手が痛くならず、力を入れやすくしたものである。
【特許文献１】特開２００３−９３２４８号公報
【特許文献２】特開２００３−３０５２８４号公報
【特許文献３】特開２００２−９７３号公報
【発明の開示】
【発明が解決しようとする課題】
【０００５】
上記の特許文献１のまな板水切り具の場合、包丁で食材を切断して食材を他へ移した後、まな板水切り具に持ち替えてまな板の液体を除去し、再び包丁に持ち替えて次の切断作業をしなければならず、作業効率が良くなかった。また包丁とまな板水切り具の両方を、準備、片付けをしなければならず、手間がかかるものである。
【０００６】
また、特許文献２、３の場合は、単に切断機能を補助する包丁を開示したものである。
【０００７】
この発明は、上記従来の技術の問題点に鑑みてなされたものであり、まな板の表面の液体を簡単かつ確実に除去することができる包丁を提供することを目的とする。
【課題を解決するための手段】
【０００８】
本発明は、刃と峰が設けられた刀身と、前記峰に取り付けられ柔軟性を有するワイパー部材とが設けられた包丁である。前記ワイパー部材は、前記峰に形成された溝部に取り付けられたものである。
【０００９】
また、前記ワイパー部材の、前記峰から突出している側縁部は、前記刀身が取り付けられた柄の長手方向に対して交差する方向に直線状に設けられている。
【発明の効果】
【００１０】
本発明の包丁は、食材を切断する機能とまな板の表面の水分を除去する機能を有し、食材を切断した後に包丁の峰の向きを変えるだけでまな板の液体を拭き取ることができ、繰り返し異なる食材の切断を綺麗な状態のまな板で行うことができる。これにより、作業効率がよく、また食材に不要な水分が付かず、味や食感を損ねることがなく美味しい料理を作ることができる。
【発明を実施するための最良の形態】
【００１１】
以下、この発明の実施形態について図面に基づいて説明する。図１〜図３はこの発明の一実施形態を示すもので、この実施形態の包丁１０は、鋼材等の金属製の刀身１２が設けられ、刀身１２の一側縁部は峰１２ａとなり、峰１２ａと反対の側縁部には刃１２ｂが設けられている。刀身１２の長手方向の一端部には、柄１４が設けられている。刀身１２は、柄１４の近傍では峰１２ａとは１２ｂが平行であり、反対側の端部に近づくにつれて、峰１２ａが刃１２ｂ側に湾曲し、刃１２ｂに達している。
【００１２】
峰１２ａの湾曲している部分には、峰１２ａの厚み方向の中心に沿って細長い溝部１６が形成されている。溝部１６の長さは峰１２ａの全長の半分よりも短い。溝部１６には、柔軟性を有するワイパー部材１８が設けられている。ワイパー部材１８は、ゴムや合成樹脂で作られている。ワイパー部材１８は、断面が矩形の長尺部材であり、ワイパー部材１８の長手方向長さは、溝部１６とほぼ同じ長さに形成されている。そしてワイパー部材１８の長手方向に交差する断面形状は、溝部１６の幅方向が、溝部１６と同じか僅かに厚く、弾性変形させてぴったりと嵌合されるように形成されている。ワイパー部材１８の断面形状の、溝部１６の深さ方向における幅は、溝部１６の深さよりも長く形成され、溝部１６に嵌合されたときに峰１２ａから突出するように形成されている。ワイパー部材１８の、溝部１６から突出する側縁部には、突出方向に対して交差する当接面１８ａが位置し、当接面１８ａはほぼ平坦な長方形である。そして当接面１８ａは、柄１４の長手方向に対して、柄１４から離れるにつれて刃１２ｂ側に近づく方向に傾斜している。
【００１３】
次に、この実施形態の包丁１０の使用方法について説明する。まず、まな板２０に載せた食材を切断するときは、刃１２ｂが下向きになるように柄１４を保持し、食材に刃１２ｂを当てて切断する。この後、切断した食材を他の箇所を移すと、まな板２０の表面には、食材に残っていた洗い水や、食材の切断部分から出た汁等の液体２２が残る場合がある。そこで、液体２２を除去したい場合は、図４に示すように、包丁１０の向きを、峰１２ａが下向きになるように柄１４を持ち替え、ワイパー部材１８の当接面１８ａをまな板２０表面に当てて移動させる。ここで当接面１８ａは、柄１４の長手方向に対して傾斜した平面であるため、柄１４を斜め下方に向けて保持するだけで当接面１８ａがほぼ水平となり、まな板２０表面に当接する。また、ワイパー部材１８は柔軟性を有しているためまな板２０に密着する。ワイパー部材１８を密着状態でまな板２０表面を摺動させることにより、まな板２０の表面の液体２２は、ワイパー部材１８に拭き取られてまな板２０の端縁部から滴になって落ちる。数回これを繰り返し、まな板２０表面の液体２２を除去する。この後、次の食材を切断する場合は、まな板２０にその食材を載せ、包丁１０を刃１２ｂが下向きになるように持ち替えて、切断する。
【００１４】
この実施形態の包丁１０によれば、食材を切断する機能と、まな板２０上の液体２２を除去する機能を有し、まな板２０の上で食材を切断した後、柄２４を握り替えるだけで、簡単にまな板２０に残った液体２２を除去することができる。まな板２０表面を布巾で拭く手間が省略され、作業効率が良い。また、まな板２０が液体２２のない状態にして次の食材を載せるため、食材に余分な水分が付いて味や食感が落ちることを防ぐ。ワイパー部材１８は刀身１２の先端付近に取り付けられ、ワイパー部材１８の当接面１８ａは柄１４の長手方向に対して傾斜しているため、包丁１０を斜めに保持するだけでまな板２０に容易に当接し、液体２２の除去作業を簡単に行うことができる。ワイパー部材１８は、峰１２ａに形成された溝部１６に嵌合され接着等により固定されているため、強い取付強度を有し耐久性がある。また、ワイパー部材１８は、峰１２ａから必要な高さは突出しているが大形ではないため、違和感がなく、円滑に切断作業を行うことができる。
【００１５】
なお、この発明の包丁は上記実施の形態に限定されるものではなく、各部材の形状や素材等、適宜変更可能である。ワイパー部材は、刀身の溝に取り付けられる他、刀身の峰に接着されても良く、峰の凸部に嵌合させても良く、取り付け位置も刀身の先端側から基端部まで任意に取り付けることができる。ワイパー部材の材料は、適度な柔軟性を有してまな板に密着して水を移動させるものであれば良い。また、ワイパー部材の長手方向に交差する断面形状は自由に変更可能であり、例えば側縁部断面形状が三角形や円形に形成されても良い。
【図面の簡単な説明】
【００１６】
【図１】この発明の一実施形態の包丁の正面図である。
【図２】図１のＡ−Ａ線縦断面図である。
【図３】この実施形態の包丁の上面図である。
【図４】この実施形態の包丁の使用状態を示す斜視図である。
【符号の説明】
【００１７】
１０  包丁
１２  刀身
１２ａ  峰
１２ｂ  刃
１４  柄
１６  溝部
１８  ワイパー部材
【図１】
2006247127.tif 000003
【図２】
2006247127.tif 000004
【図３】
2006247127.tif 000005
【図４】
2006247127.tif 000006